(57)【要約】【課題】水槽の通常排水口に簡単に接続できる有孔栓を弾性ホースに結合、さらに浮力具と一対である流量具を有した排水口と弾性ホースを結合させた、その排水口が移動して、表面水を排水する機能を持たせる。【解決手段】水槽１３の通常排水口１５に接続できる有孔栓１を弾性ホース２に結合、さらに浮力具５と一対である流量具３を有した排水口４と弾性ホース２を結合させた、その排水口４が移動して表面水１４の連続排水を維持することを特徴とする移動排水口１７である。【選択図】図１
2006334372.tif 000002
【特許請求の範囲】
【請求項１】
水槽の通常排水口に接続できる、有効栓が弾性ホースに結合、さらに浮力具と、一対である流量調整具を有した排水口と結合させ、その排水口が移動して表面水の連続排水を維持することを特徴とする移動排水口。
【請求項２】
前記弾性ホースは表面水の移動に対応できて。延長ホースは必要な高さを選択できることを特徴とする請求項１記載の移動排水口。
【請求項３】
前記有効栓は各種水槽の通常排水口に適合する様、異径のパッキンで構成され、フィルターを持つ事を特徴とする請求項１、請求項２記載の移動排水口。
【請求項４】
前記浮力具はネジ込み開閉でき、中空を利用し、錘、水の加減で表面水維持の微調整できる事を特徴とする請求項１、請求項２、請求項３記載の移動排水口。
【請求項５】
前記のリング状の流量調整具はネジで排水口と結合され、ネジを緩めたり、締めつけたりする事により。切断口の向きを変えて流量を調整できる事を特徴とする請求項１、請求項２、請求項３、請求項４記載の移動排水口。
【発明の詳細な説明】
【技術分野】
【０００１】本発明は水槽の通常排水口に接続した有孔栓と弾性ホースを結合、さらに弾性ホースと浮力具と一対の流量調整具を有した排水口を結合させ、その排水口が移動して表面水を排水する移動排水口に関する。
【背景技術】
【０００２】従来の排水口は，水抜きを目的とした水槽の下部にある通常排水口、最高水位を一定保持する目的の上部にあるオーバーフロー排水口（越流排水口）があるが共に移動しない、固定排水口である。【０００３】上述の通常排水口は多量排水と連続排水の機能が有り、微少量排水と表面水の排水には機能しない、オーバーフロー排水口は最高水位を越えると連続排水して、表面水の微少量排水する機能を有するが。最高水位以下ではまったく機能しない。
【発明の開示】
【発明が解決しようとする課題】
【０００４】上述の如く、従来の固定排水口に係る機能は、多量排水又は表面水を排水する機能を有するが。表面水の微少量排水や連続排水の機能は十分に得られず、したがって、表面水の有効な微少量排水、連続排水を固定排水口で確保する事は難しい。【０００５】そのため、水槽の表面水の汚れを除去する時は、容器で汲み上げ除去処理するか。給水を続けて最高水位を越えた状態、オーバーフローさせて除去処理しているのが現状である。【０００６】本発明は、このような点に鑑みて成されたものであり、その目的は、水槽の通常排水口に接続させた有孔栓に移動機能を持つ弾性ホースを結合、さらに弾性ホースは浮力機能と流量機能を有した一対の浮力具と流量調整具を持つ排水口と結合。浮力機能で排水口が表面水の位置で止まり、移動機能は表面水の連続排水を維持して、流量機能で効率良く表面水の汚れ除去処理を容易にできるようにすることにある。
【課題を解決するための手段】
【０００７】上述の目的を達成する本発明の移動排水口は水槽の通常排水口に有孔栓を接続して、有孔栓に移動機能を持つ弾性ホースと浮力具と一対である流量調整具を周りに設けた排水口と結合させて効率良い表面水の連続排水機能を持たせたことを特徴とする。
【発明の効果】
【０００８】以上説明したように本発明によれば、排水口の周りに浮力具と一対である流量調整具を取り付け、その浮力で排水口が表面水の位置に止まり、流量調整で微量排水を開始する、さらに弾性ホースが表面水の上下移動に排水口を合わせて連続排水の維持が可能となる。この移動排水口を例えば浴槽に用いることで、効率良く、容易に表面水の汚れ連続排水を維持する事が可能と成り浴槽表面水の汚れを微少量排水で除去処理、気持ち良く、満足な入浴、そして節水、再使用に極めて有効である。且つ、安価で誰でも取り扱い簡単。
【発明を実施するための最良の形態】
【０００９】以下、本発明の実施の形態に係を図面に基づき詳細に説明する。【００１０】図１〜図３は本発明の第１の実施の形態に係り、図１はその外観斜視図、図２はその中央部の縦断図面、図３もその中央部の縦断図である。図４は第２の実施の形態に係り、図４はその外観斜視図である。【００１１】図１、図２、図４に示すように、移動排水口１７は有孔栓１と弾性ホース２を結合し、さらに排水口４を結合させて、その周りに浮力具５と一対の流量調整具３を設けた構造体１６である。【００１２】図４に示すように、移動排水口１７は水槽（浴槽）１３の排水に使用される、通常排水口１５は水槽１３底面に有している。【００１３】排水口４には、図１、図２、図３に示すように、浮力具５と一対のリング状の流量調整具３がネジ６で周りに取り付けられている。【００１４】図１、図２、図３、図４に示す浮力具５は排水口４を表面水１７の位置に、ネジ６で浮力具を開閉でき、中空部分７に錘、孔８の水の加減でさらに微調整する事ができる。【００１５】図１、図２、図３に示す流量調整具３はネジ６で排水口４と結合され、そのネジ６を緩めたり、締め付けたりして切断口９の方向を変えると流量も調整する事ができる。【００１６】図１、図２、図３、図４に示すように、弾性ホース２は表面水１４の移動に対応でき、延長ホース１０は表面水１４の必要な高さを選択できる。【００１７】図１、図２、図４に示すように、その周りに浮力具５と一対の流量調整具３を設けた排水口４と弾性ホース２が結合、さらに有孔栓１を結合、有孔栓１が通常排水口１５に接合されて排水できる。【００１８】図１、図２、図３、図４に示すように有孔栓１は水槽１３（浴槽）の通常排水口１５の径に適合するように異径パッキン１１を重ねた栓を使用、内にはごみ処理のフィルター１２が組み込みこまれている。
【実施例】
【００１９】合成樹脂等の構造体は安価で使用も簡単、有孔栓を水槽（浴槽）の通常排水口に接続、有孔栓と結合された弾性ホースと、浮力具と一対の流量調整具を設けた排水口が表面水を、連続排水して汚れを除去し、維持費無料で、きれいなお風呂が楽しめる。
【産業上の利用可能性】
【００２０】本発明は浴槽の表面水の汚れ排水処理として、バスグッズ、サニタリー用品の製造、販売する分野で利用することができる。
【図面の簡単な説明】
【００２１】
【図１】本発明の第１の実施の形態に係る移動排水口の外観斜視図である。
【図２】図１の移動排水口の中央部の縦断面である。
【図３】図１、図２の移動排水口の中央部の縦断面である。
【図４】本発明の第２の実施の形態に係る移動排水口の外観斜視図である。
【符号の説明】
【００２２】  １    有効栓
２    弾性ホース
３    流量調整具
４    排水口
５    浮力具
６    ネジ
７    中空
８    孔
９    切断口
１０    延長ホース
１１    パッキン
１２    フィルター
１３    水槽
１４    表面水
１５    通常排水口
１６    構造体
１７    移動排水口
【図１】
2006334372.tif 000003
【図２】
2006334372.tif 000004
【図３】
2006334372.tif 000005
【図４】
2006334372.tif 000006